(57)【要約】  蒸気による衣類洗濯方法および洗濯機において、前記方法は、外槽（４２）に給水し、前記給水の水位が設定水位に達すると、給水を停止し、そのうち、前記設定水位が外槽加熱装置（４３）および内槽（４１）の底部の位置に応じて決定されることと、外槽（４２）内の水を加熱し、設定時間または設定温度まで加熱すると、加熱を停止することと、衣類を蒸気で洗濯することと、を含む。前記方法および洗濯機は、蒸気を用いて衣類を洗濯し、衣類を十分に伸ばして消臭・殺菌し、洗濯工程における加熱時間を適当に減少することができ、省エネルギー効果を達成する。【選択図】図１
2019501731.tif 000002
【特許請求の範囲】
【請求項１】
外槽に給水し、前記給水の水位が設定水位に達すると、給水を停止し、そのうち、前記設定水位が外槽加熱装置および内槽の底部の位置に応じて決定されることと、
外槽内の水を加熱し、設定時間または設定温度まで加熱すると、加熱を停止することと、
衣類を蒸気で洗濯することと、を含む、
蒸気による衣類洗濯方法。
【請求項２】
外槽に給水し、前記給水の水位が設定水位に達すると、給水を停止することは、
設定水位と測定した給水流量によって設定給水時間を決定し、給水時間が設定給水時間に達すると、給水を停止することを含む、
請求項１に記載の方法。
【請求項３】
外槽に給水し、前記給水の水位が設定水位に達すると、給水を停止することは、
設定水位によって設定給水総流量を決定し、給水総流量が設定給水総流量に達すると、給水を停止することを含む、
請求項１に記載の方法。
【請求項４】
外槽に給水し、前記給水の水位が設定水位に達すると、給水を停止することは、
水位スイッチによって、給水水位が設定水位に達したか否かをフィードバックし、給水水位が設定水位に達すると、給水を停止することを含む、
請求項１に記載の方法。
【請求項５】
前記設定水位が外槽加熱装置および内槽の底部の位置に応じて決定されることは、
前記設定水位が外槽と内槽の底部との間に配置され、かつ外槽加熱装置を浸没することを含む、
請求項１に記載の方法。
【請求項６】
衣類を蒸気で洗濯することは、
駆動モータによって、内槽を設定回転数および回転頻度と停止頻度との比の値で回転させるように駆動することを含む、
請求項１〜５のいずれか１項に記載の方法。
【請求項７】
駆動モータによって、内槽を設定回転数および回転頻度と停止頻度との比の値で回転させるように駆動することは、前記外槽内の水を加熱することと同時に行う、
請求項６に記載の方法。
【請求項８】
衣類を蒸気で洗濯した後に、
再び給水し、衣類を予備洗濯することと、
設定洗濯時間まで予備洗濯した後に、予備洗濯を停止して排水することと、をさらに含む、
請求項７に記載の方法。
【請求項９】
衣類を蒸気で洗濯した後、または前記予備洗濯を停止して排水した後に、
再び給水し、前記給水を加熱し、衣類を本格洗濯することをさらに含む、
請求項１または８に記載の方法。
【請求項１０】
内槽、外槽、外槽加熱装置、給水弁、駆動モータ、コントローラを備える洗濯機であって、
外槽は、蒸気を発生させるために、給水弁が開いた後に外槽に注入される水を受けるように構成され、
前記コントローラは、前記給水の水位が設定水位に達すると、給水を停止するように制御し、そのうち、前記設定水位は外槽加熱装置および内槽の底部の位置に応じて決定されるように構成され、
外槽加熱装置は、外槽内の水を加熱するように構成され、
前記コントローラは、さらに、設定時間または設定温度まで加熱すると、前記外槽加熱装置による加熱を停止するように制御するとともに、前記駆動モータによって内槽を駆動して衣類を蒸気で洗濯するように制御する、ように構成される、
洗濯機。
【請求項１１】
前記設定水位が外槽加熱装置および内槽の底部の位置に応じて決定されることは、
前記設定水位が外槽と内槽の底部との間に配置され、かつ外槽加熱装置を浸没することを含む、
請求項１０に記載の洗濯機。
【請求項１２】
前記給水弁は電磁弁である、
請求項１１に記載の洗濯機。
【請求項１３】
前記外槽加熱装置は加熱管である、
請求項１１に記載の洗濯機。
【請求項１４】
前記外槽の底部に構成される水温センサをさらに備える、
請求項１１に記載の洗濯機。
【請求項１５】
前記給水弁に設けられる液体流量計をさらに備える、
請求項１０または１２に記載の洗濯機。
【発明の詳細な説明】
【技術分野】
【０００１】
本開示は、衣類の洗濯方法に係る技術に関し、例えば、蒸気による衣類洗濯方法および洗濯機に関する。
【背景技術】
【０００２】
ドラム式洗濯機の内部に、衣類洗濯用の水を溜めることに用いられ、加熱管を備える外槽と、回転して衣類を叩き洗いするための内槽が備えられる。内槽に、衣類と洗濯水とを分離して衣類を脱水するための複数の小孔が形成される。
【０００３】
関連技術において、衣類の洗濯方法として、本格洗濯段階で洗濯水を加熱することで洗剤の活性化を促進させ、洗浄効果を向上させるようにすることは一般的である。しかしながら、上記洗濯方法は、衣類を伸ばしてしわ取りする目的を達成できず、しかも洗濯時間がかかりすぎる。蒸気発生器で蒸気を提供し、洗濯水で洗濯物である衣類を十分に濡らしてから蒸気で洗濯することにより、衣類を伸ばしてしわ取りすることができるとともに、蒸気による洗濯で本格洗濯の時間を減少する洗濯機もあるが、衣類が濡れると、大量の水分を含むため、蒸気を吸収しにくくなり、蒸気による洗濯の効果を低減させ、衣類の洗濯時間は変わらず長く、エネルギー消費が高すぎる。
【発明の概要】
【発明が解決しようとする課題】
【０００４】
本開示は、衣類を予備洗濯または本格洗濯する前に、外槽内に給水して当該箇所の水を加熱することにより、十分量の蒸気を発生させ、蒸気によって衣類を洗濯し、衣類を十分に伸ばして消臭・殺菌し、通常の洗濯工程における加熱時間を適当に減少することができ、省エネルギー効果を達成する、蒸気による衣類洗濯方法および洗濯機を提供する。
【課題を解決するための手段】
【０００５】
本開示の実施例は、
外槽に給水し、前記給水の水位が設定水位に達すると、給水を停止し、そのうち、前記設定水位が外槽加熱装置および内槽の底部の位置に応じて決定されることと、
外槽内の水を加熱し、設定時間または設定温度まで加熱すると、加熱を停止することと、
衣類を蒸気で洗濯することと、を含む蒸気による衣類洗濯方法を提供する。
【０００６】
オプションとして、外槽に給水し、前記給水の水位が設定水位に達すると、給水を停止することは、
設定水位と測定した給水流量によって設定給水時間を決定し、給水時間が設定給水時間に達すると、給水を停止することを含む。
【０００７】
オプションとして、外槽に給水し、前記給水の水位が設定水位に達すると、給水を停止することは、
設定水位によって設定給水総流量を決定し、給水総流量が設定給水総流量に達すると、給水を停止することを含む。
【０００８】
オプションとして、外槽に給水し、前記給水の水位が設定水位に達すると、給水を停止することは、
水位スイッチによって、給水水位が設定水位に達したか否かをフィードバックし、給水水位が設定水位に達すると、給水を停止することを含む。
【０００９】
オプションとして、前記設定水位が外槽加熱装置および内槽の底部の位置に応じて決定されることは、
前記設定水位が外槽と内槽の底部との間に配置され、かつ外槽加熱装置を浸没することを含む。
【００１０】
オプションとして、衣類を蒸気で洗濯することは、
駆動モータによって、内槽を設定回転数および回転頻度と停止頻度との比の値で回転させるように駆動することを含む。オプションとして、前記駆動モータによって、内槽を設定回転数および回転頻度と停止頻度との比の値で回転させるように駆動することは、前記外槽内の水を加熱することと同時に行う。
【００１１】
オプションとして、衣類を蒸気で洗濯した後に、
再び給水し、衣類を予備洗濯することと、
設定洗濯時間まで予備洗濯した後に、予備洗濯を停止して排水することと、をさらに含む。
【００１２】
オプションとして、衣類を蒸気で洗濯した後、または前記予備洗濯を停止して排水した後に、
再び給水し、前記給水を加熱し、衣類を本格洗濯することをさらに含む。
【００１３】
本開示の実施例は、内槽、外槽、外槽加熱装置、給水弁、駆動モータ、およびコントローラを備える洗濯機であって、
外槽は、蒸気を発生させるために、給水弁が開いた後に外槽に注入される水を受けるように構成され、
前記コントローラは、前記給水の水位が設定水位に達すると、給水を停止するように制御し、そのうち、前記設定水位が外槽加熱装置および内槽の底部の位置に応じて決定されるように構成され、
外槽加熱装置は、外槽内の水を加熱するように構成され、
前記コントローラは、さらに、設定時間または設定温度まで加熱すると、前記外槽加熱装置による加熱を停止するように制御するとともに、内槽を駆動して衣類を蒸気で洗濯するように前記駆動モータを制御するように構成される、洗濯機をさらに提供する。
【００１４】
オプションとして、前記設定水位が外槽加熱装置および内槽の底部の位置に応じて決定されることは、
前記設定水位が外槽と内槽の底部との間に配置され、かつ外槽加熱装置を浸没することを含む。
【００１５】
オプションとして、前記給水弁が電磁弁である。
【００１６】
オプションとして、前記外槽加熱装置が加熱管である。
【００１７】
オプションとして、前記洗濯機は、前記外槽の底部に設けられる水温センサをさらに備える。
【００１８】
オプションとして、前記洗濯機は、前記給水弁に設けられる液体流量計をさらに備える。
【発明の効果】
【００１９】
衣類を予備洗濯または本格洗濯する前に、外槽に給水して当該箇所の水を加熱することにより、十分量の蒸気を発生させて衣類を洗濯し、衣類を十分に伸ばして消臭・殺菌し、さらに、蒸気による洗濯で、衣類の予備洗濯または本格洗濯の水消費を減少するとともに、本格洗濯工程における加熱時間を減少することができ、省エネルギー効果を達成する。
【図面の簡単な説明】
【００２０】
【図１】実施例１に係る蒸気による衣類洗濯方法の流れを示す模式図である。
【図２】実施例２に係る蒸気による衣類洗濯方法の流れを示す模式図である。
【図３】実施例３に係る蒸気による衣類洗濯方法の流れを示す模式図である。
【図４】実施例３に係る洗濯機の構成模式図である。
【発明を実施するための形態】
【００２１】
以下、図面を参照しながら、オプションの実施形態により本開示の技術的手段を説明する。衝突しない限り、実施例と実施例における特徴は、互いに任意に組み合わせることができる。
【００２２】
実施例１
図１は、本実施例に係る蒸気による衣類洗濯方法の流れを示す模式図である。図１に示すように、当該方法は、下記のことを含む。
【００２３】
Ｓ１００において、外槽に給水し、前記給水の水位が設定水位に達すると、給水を停止し、そのうち、前記設定水位が外槽加熱装置および内槽の底部の位置に応じて決定される。
【００２４】
即ち、蒸気を発生させるために、洗濯機の給水弁を開き、洗濯機の外槽内に給水する。本実施例において、給水弁として電磁弁を使用し、洗濯機のコントローラで開閉を制御してもよい。
【００２５】
上記給水弁を開いて給水する前に、設定水位、即ち、蒸気による洗濯を満足する理論的な給水水位を予め設置する必要がある。本実施例において、設定水位は、外槽加熱装置および内槽の底部の位置によって決定される。オプションとして、上記設定水位は、洗濯機の外槽と内槽の底部との間に位置すべきであり、即ち、給水が内槽に入って衣類を濡らしてはならず、さらに、給水は外槽加熱装置を浸没する必要がある。これによって、給水が外槽加熱装置によって加熱されて蒸発することができ、蒸気が内槽に入って内槽内の衣類に対して蒸気による洗濯を行うことができる。
【００２６】
給水した後に、実際の給水水位を検出し、当該給水水位が設定水位と同じであると、給水弁を閉じ、給水を停止する。
【００２７】
本実施例において、給水水位として、給水時間によって給水水位を決定してもよい。即ち、設定水位と測定した給水流量によって設定給水時間を決定し、給水時間が設定給水時間に達すると、給水弁を閉じ、給水を停止する。その原理として、給水管路に給水弁が設けられ、当該給水弁が電磁弁であり、使用水圧が０．０２〜１．０Ｍｐａであり、この作業条件で、流量計等の測定装置によって、給水流量がａＬ／ｍｉｎ±ｂ％（そのうち、ａとｂは実際の状況によって設定される）であるように測定することができ、この流量で電磁弁を一定の時間ｔ開いた場合、通過した一定の体積の水が設定水位に達することができれば、ｔは給水の設定パラメータ、即ち、上記の設定給水時間として用いられることができ。その後、実際の使用過程において、給水時間が設定給水時間に達すると、給水弁を閉じて給水を停止してもよい。
【００２８】
本実施例において、給水水位は、給水総流量に応じて決定されてもよい。即ち、設定水位に応じて設定給水総流量を決定し、給水総流量が設定給水総流量に達すると、給水弁を閉じ、給水を停止する。設定水位に応じて設定給水総流量を算出するとともに、給水弁に液体流量計を設け、液体流量計によって給水総流量を測定する。当該液体流量計は、測定対象となる給水電磁弁の水流量と一定の時間間隔内の給水総流量の測定と算出を行う計器である。瞬時流量と積算流量（即ち、給水総流量）に分けられ、瞬時流量とは単位時間内に給水管の有効断面を通過した水量であり、積算流量とは時間間隔内に給水管の有効断面を通過した水の積算量である。時間について瞬時流量を積分することによって、積算流量（給水総流量）を求めることもでき、その後、当該給水総流量と算出された設定給水総流量とを比較する。
【００２９】
本実施例の液体流量計に、羽根車およびセンサが設けられる。水がセンサを流れると、水の作用で、羽根車が力を受けて回転し、羽根車の回転数が流路内の平均流速に比例するとともに、羽根が電磁石による磁力線を周期的に切断し、コイルの磁束を変化させ、電磁誘導の原理によって、コイル内に電気パルス信号が誘導され、この電気パルス信号の周波数は、測定対象となる流体の流量に比例する。流量計で測定された給水総流量として、単位時間内に当該給水総流量が設定水位に対応する設定給水総流量の要求を満たすと、この数値が洗濯機の制御部に伝達される。制御部は、給水弁を閉じるように指示し、給水を停止する。
【００３０】
本実施例において、給水水位は、水位スイッチによって直接決定してもよい。即ち、水位スイッチによって給水水位が設定水位に達したか否かをフィードバックし、給水水位が設定水位に達すると、給水を停止する。検出の原理として、洗濯機の水位スイッチによって洗濯槽内の水位の高さの検出と制御を行う。オプションとして、洗濯機に、ゴムホースを介して水位スイッチに連結され、圧力が洗濯機の槽内水位の高さに従って変化する空気室が設けられる。洗濯機の槽内水位が上昇すると、空気室の圧力が増大し、水位スイッチ内のダイヤフラムを引き上げさせ、設定水位の高さに達すると、水位スイッチ内のコンタクトが変換して回路をオンにするか、または電気信号を洗濯機の制御部に伝達する。これによって、制御部は、給水弁を閉じ、給水を停止する。
【００３１】
Ｓ１１０において、外槽内の水を加熱し、設定時間または設定温度まで加熱すると、加熱を停止する。
【００３２】
給水水位が設定水位給水に等しいことが検出されて給水を停止した後に、蒸気による洗濯を行うために、外槽加熱装置を作動させ、外槽内の水を加熱して蒸気を発生させる。本実施例において、外槽加熱装置として加熱管を使用する。
【００３３】
省エネルギーの効果をより良好に実現するために、蒸気による衣類の洗濯を行うための蒸気が十分に発生された後に、外槽加熱装置をオフにする必要がある。本実施例において、設定時間または設定温度を予め設定することにより、加熱時間が設定時間に達すると、外槽加熱装置をオフにして加熱を停止する。或いは、ドラム式洗濯機の外槽の底部に水温センサを設け、水温センサによって外槽内の温度を検出し、外槽内の温度が設定温度に達すると、外槽加熱装置をオフにして加熱を停止する。上記の外槽加熱装置をオフにする２つの条件のいずれかが要求を満たすと、外槽加熱装置をオフにすることができる。
【００３４】
本実施例において、設定時間は１５分間としてもよく、設定温度は６５℃としてもよい。
【００３５】
Ｓ１２０において、衣類を蒸気で洗濯する。
【００３６】
蒸気が発生すると、蒸気は、内槽に入って衣類を濡らす。その後、駆動モータは、内槽を設定回転数および回転頻度と停止頻度との比の値で回転させるように駆動し、衣類に対して蒸気による洗濯を行う。上記モータの回転数は４５ｒｐｍとしてもよく、回転頻度と停止頻度との比の値は１０：５としてもよい。即ち、モータは、しばらく回転した後に、一定時間停止してから再び回動しはじめ、理想的な効果で衣類を蒸気で十分に濡らすことができるとともに、繊維に損傷を与えることがない。
【００３７】
本実施例において、モータは、外槽内の水を加熱して蒸気を発生させながら回転してもよく、即ち、蒸気が発生すると、モータを制御して内槽を駆動させ、衣類を蒸気で洗濯してもよい。加熱を停止してからモータを制御して内槽を駆動させ、即ち、発生した蒸気が要求を満たしてから蒸気による洗濯を行ってもよい。オプションとして、前者を採用する。
【００３８】
実施例２
本実施例は、実施例１に基づき本格洗濯工程を加え、オプションとして、図２に示すように、本実施例の蒸気による衣類洗濯方法は、以下のステップを含む。
【００３９】
Ｓ２００において、外槽に給水し、前記給水の水位が設定水位に達すると、給水を停止し、そのうち、前記設定水位が外槽加熱装置および内槽の底部の位置に応じて決定される。
【００４０】
Ｓ２１０において、外槽内の水を加熱し、設定時間または設定温度まで加熱すると、加熱を停止する。
【００４１】
Ｓ２２０において、衣類を蒸気で洗濯する。
【００４２】
Ｓ２３０において、再び給水し、前記給水を加熱し、衣類を本格洗濯する。
【００４３】
即ち、衣類を蒸気で洗濯することが完成した後に、給水弁を開いて引き続き外槽内に給水し、衣類が水に十分に濡れると、給水を停止し、その後、給水を加熱し、衣類に対して加熱洗濯、即ち、上記の本格洗濯工程を行う。
【００４４】
本実施例において、本格洗濯が完成した後に、排水して濯ぎ工程に進み、濯ぎが終了した後に、排水および衣類の脱水を行い、最後に衣類の洗濯を完成する。
【００４５】
本実施例は、蒸気による洗濯を行って衣類を十分に伸ばして消臭・殺菌してから、本格洗濯を行うことによって、本格洗濯の水消費を減少するとともに、本格洗濯工程における加熱時間を減少することができ、省エネルギー効果を達成する。
【００４６】
実施例３
本実施例は、実施例２に基づき改良を行い、予備洗濯工程を追加し、オプションとして、図３に示すように、本実施例の蒸気による衣類洗濯方法は、以下のステップを含む。
【００４７】
Ｓ３００において、外槽に給水し、前記給水の水位が設定水位に達すると、給水を停止し、そのうち、前記設定水位は外槽加熱装置および内槽の底部の位置に応じて決定される。
【００４８】
Ｓ３１０において、外槽内の水を加熱し、設定時間または設定温度まで加熱すると、加熱を停止する。
【００４９】
Ｓ３２０において、衣類を蒸気で洗濯する。
【００５０】
Ｓ３３０において、再び給水し、衣類を予備洗濯する。
【００５１】
予備洗濯とは、本格洗濯の前に行われ、衣類に付着したひどい汚れまたは大きな塵埃を除去する洗濯工程であり、蒸気による洗濯が終了した後に、予備洗濯工程を選択し、この時に、給水弁を再び開くように制御し、その後、衣類を十分に濡らすまで外槽内に給水し、給水を停止してから衣類の予備洗濯を開始する。
【００５２】
Ｓ３４０において、設定洗濯時間まで予備洗濯した後に、予備洗濯を停止して排水する。
【００５３】
予備洗濯は衣類を本格洗濯する前に衣類に付着したひどい汚れまたは大きな塵埃を除去することのみに用いられるため、予備洗濯の時間、即ち設定洗濯時間は適当に設定する。本実施例において、設定洗濯時間は１５分間であり、上記設定洗濯時間に達すると、予備洗濯を停止し、洗濯後の水を排出する。
【００５４】
Ｓ３５０において、再び給水し、前記給水を加熱し、衣類を本格洗濯する。
【００５５】
本実施例は、衣類を蒸気で洗濯した後、かつ本格洗濯の前に、予備洗濯工程を追加し、予備洗濯機能を選択した場合、蒸気による洗濯の機能を先に行うことができ、このようにして、予備洗濯によって、衣類に付着した汚れまたは塵埃をより多く且つより容易に取り除くことができる。
【００５６】
図４に示すように、本実施例は、内槽４１、外槽４２、外槽加熱装置４３、給水弁４４、駆動モータ４５、コントローラ４６を備える洗濯機をさらに提供する。
【００５７】
外槽４２は、蒸気を発生させるために、給水弁４４が開いた後に外槽４２に注入される水を受けるように構成される。
【００５８】
前記コントローラ４６は、前記給水の水位が設定水位に達すると、給水を停止するように制御し、そのうち、前記設定水位が外槽加熱装置４３および内槽４１の底部の位置に応じて決定されるように構成される。
【００５９】
外槽加熱装置４３は、外槽４２内の水を加熱するように構成される。
【００６０】
前記コントローラ４６は、さらに、設定時間または設定温度まで加熱すると、前記外槽加熱装置４３による加熱を停止するように制御するとともに、前記駆動モータ４５を制御して内槽４１を駆動して衣類を蒸気で洗濯するように構成される。
【００６１】
オプションとして、前記設定水位が外槽加熱装置４３および内槽４１の底部の位置に応じて決定されることは、前記設定水位が外槽４２と内槽４１の底部との間に配置され、かつ外槽加熱装置４３を浸没することを含む。
【００６２】
オプションとして、前記給水弁４４は電磁弁である。
【００６３】
オプションとして、前記外槽加熱装置４３は加熱管である。
【００６４】
オプションとして、前記洗濯機は、前記外槽４２の底部に設けられる水温センサをさらに備える。
【００６５】
オプションとして、前記洗濯機は、前記給水弁４４に設けられる液体流量計をさらに備える。オプションとして、外槽加熱装置４３は、給水弁４４と外槽４２との間に設けられ、給水管路に設けられてもよく、給水口に設けられてもよい。
【００６６】
本開示の上記実施例は、本開示を明らかに説明するために例示されるものに過ぎず、本開示の実施形態を限定するものではない。当業者にとって、上記説明の基に、他の異なる形態の変化または変動も可能である。ここでは、全ての実施形態を網羅することができず、その必要もない。
【産業上の利用可能性】
【００６７】
本開示は、蒸気による衣類洗濯方法および洗濯機を提供し、衣類を予備洗濯または本格洗濯する前に、外槽に給水して当該箇所の水を加熱することにより、十分量の蒸気を発生させて衣類を洗濯し、衣類を十分に伸ばして消臭・殺菌し、さらに、蒸気による洗濯で、衣類の予備洗濯または本格洗濯の水消費を減少するとともに、本格洗濯工程における加熱時間を減少することができ、省エネルギー効果を達成する。
【図１】
2019501731.tif 000003
【図２】
2019501731.tif 000004
【図３】
2019501731.tif 000005
【図４】
2019501731.tif 000006
【国際調査報告】
2019501731.tif 000007
2019501731.tif 000008
2019501731.tif 000009
2019501731.tif 000010